(57)【要約】【課題】湧泉、土踏まず、踵の足ツボを的確に捉えて刺激を与えることを可能とする足裏刺激器具を提供することである。【解決手段】  履物を履いたユーザーの足裏を刺激する足裏刺激器具１０であって、湧泉に対応する湧泉領域２を押圧して刺激するような凸部を有する湧泉用突起部２０と、土踏まずに対応する土踏まず領域を押圧して刺激するような凸部を有する土踏まず用突起部２２と、踵に対応する踵領域３を押圧して刺激するような凸部を有する踵用突起部２４と、を備え、湧泉用突起部２０、土踏まず用突起部２２及び踵用突起部２４は、履物を履いた足を支える土台部に着脱可能な着脱機構を有することを特徴とする。【選択図】図１
2019213597.tif 000002
【特許請求の範囲】
【請求項１】
履物を履いたユーザーの足裏を刺激する足裏刺激器具であって、
湧泉に対応する湧泉領域を押圧して刺激するような凸部を有する湧泉用突起部と、
土踏まずに対応する土踏まず領域を押圧して刺激するような凸部を有する土踏まず用突起部と、
踵に対応する踵領域を押圧して刺激するような凸部を有する踵用突起部と、
を備え、
前記湧泉用突起部、前記土踏まず用突起部及び前記踵用突起部は、前記履物を履いた足を支える土台部に着脱可能な着脱機構を有することを特徴とする足裏刺激器具。
【請求項２】
請求項１に記載の足裏刺激器具において、
前記土台部は、前記履物内部に配置可能で第１の面ファスナー部を有するインソール部であり、
前記湧泉用突起部、前記土踏まず用突起部及び前記踵用突起部は、前記第１の面ファスナー部に着脱可能な第２の面ファスナー部を有することを特徴とする足裏刺激器具。
【請求項３】
請求項１または請求項２に記載の足裏刺激器具において、
前記湧泉用突起部は、軟質性を有する軟質性湧泉用突起部と、硬質性を有する硬質性湧泉用突起部を有し、
前記土踏まず用突起部は、軟質性を有する軟質性土踏まず用突起部と、硬質性を有する硬質性土踏まず用突起部を有し、
前記踵用突起部は、軟質性を有する軟質性踵用突起部と、硬質性を有する硬質性踵用突起部を有し、
前記土台部には、前記軟質性湧泉用突起部と前記硬質性湧泉用突起部のいずれか１つと、前記軟質性土踏まず用突起部と前記硬質性土踏まず用突起部のいずれか１つと、前記軟質性踵用突起部と前記硬質性踵用突起部のいずれか１つとが設けられることを特徴とする足裏刺激器具。
【発明の詳細な説明】
【技術分野】
【０００１】
本発明は、足裏刺激器具に関する。
【背景技術】
【０００２】
従来、革靴などの履物内に装着するインソールなどが開発されている。例えば、特許文献１には、履物内に装着されるインソールであって、利用者の足裏に装着されるベースを備え、このベースには、当該利用者の拇趾と第二趾のつけ根を始点として、ベースの両側の斜め後方に向かって延びて配置される突起部を備えていることを特徴とするインソールが開示されている。
【先行技術文献】
【特許文献】
【０００３】
【特許文献１】特開２０１８−２３６９１号公報
【発明の概要】
【発明が解決しようとする課題】
【０００４】
インソールに足ツボを刺激するための突起部を設けて履物を履いた際に足ツボを刺激することで血行促進させるための商品が存在する。しかしながら、このようなインソールはある程度の規定された足のサイズに応じて大まかなに位置に突起部が取り付けられている為、ツボの位置を的確に捉えて刺激することが難しい。
【０００５】
足ツボの中でも、湧泉、土踏まず、踵の３点を同時に押圧して刺激することが血行促進などの効果を最も高めることが出来るため、湧泉、土踏まず、踵の足ツボを正確に捉えて刺激を与えることが望ましい。
【０００６】
本発明の目的は、湧泉、土踏まず、踵の足ツボを的確に捉えて刺激を与えることを可能とする足裏刺激器具を提供することである。
【課題を解決するための手段】
【０００７】
本発明に係る足裏刺激器具は、履物を履いたユーザーの足裏を刺激する足裏刺激器具であって、湧泉に対応する湧泉領域を押圧して刺激するような凸部を有する湧泉用突起部と、土踏まずに対応する土踏まず領域を押圧して刺激するような凸部を有する土踏まず用突起部と、踵に対応する踵領域を押圧して刺激するような凸部を有する踵用突起部と、を備え、前記湧泉用突起部、前記土踏まず用突起部及び前記踵用突起部は、前記履物を履いた足を支える土台部に着脱可能な着脱機構を有することを特徴とする。
【０００８】
また、本発明に係る足裏刺激器具において、前記土台部は、前記履物内部に配置可能で第１の面ファスナー部を有するインソール部であり、前記湧泉用突起部、前記土踏まず用突起部及び前記踵用突起部は、前記第１の面ファスナー部に着脱可能な第２の面ファスナー部を有することが好ましい。
【０００９】
また、本発明に係る足裏刺激器具において、前記湧泉用突起部は、軟質性を有する軟質性湧泉用突起部と、硬質性を有する硬質性湧泉用突起部を有し、前記土踏まず用突起部は、軟質性を有する軟質性土踏まず用突起部と、硬質性を有する硬質性土踏まず用突起部を有し、前記踵用突起部は、軟質性を有する軟質性踵用突起部と、硬質性を有する硬質性踵用突起部を有し、前記土台部には、前記軟質性湧泉用突起部と前記硬質性湧泉用突起部のいずれか１つと、前記軟質性土踏まず用突起部と前記硬質性土踏まず用突起部のいずれか１つと、前記軟質性踵用突起部と前記硬質性踵用突起部のいずれか１つとが設けられることが好ましい。
【発明の効果】
【００１０】
本発明によれば、湧泉用突起部、土踏まず用突起部及び踵用突起部を土台部上で自由に移動させる装着位置を変えることが可能であるため、湧泉、土踏まず、踵の足ツボを的確に捉えて刺激を与えることが出来る。
【図面の簡単な説明】
【００１１】
【図１】本発明に係る実施形態において、足裏刺激器具を示す図である。
【図２】本発明に係る実施形態において、足裏のツボを示した図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、足裏刺激器具１０を示す図である。図２は、足１の足裏のツボを示した図である。足裏刺激器具１０は、インソール部１２と、湧泉用突起部２０と、土踏まず用突起部２２と、踵用突起部２４とを備えている。
【００１４】
足１は心臓から一番遠い部位になるため、心臓の働きだけでは血液がしっかり心臓に戻らない。このため、足１は心臓から送り出されて足の先まで流された血液を心臓まで戻す為にポンプのような役目を担っており、第２の心臓と呼ばれている。
【００１５】
足１を使って歩くと、筋肉が収縮と拡張を繰り返し、これによってポンプのような役目を果たして血液は心臓に戻る。足１には全身に通じるツボが人体の地図のように存在している。足１の裏には約６０箇所のツボが存在する。
【００１６】
図２には、この約６０箇所のうち、本発明の実施形態に関連性のあるツボを示している。湧泉と呼ばれるツボである湧泉領域２を押すと全身の血行が刺激され、特に下半身の血行が良くなる。より具体的には、湧泉領域２を刺激することで、高血圧、冷え、のぼせ、むくみ、不眠、生理痛、腎臓疾患などに良いとされている。
【００１７】
土踏まずの周辺には、心臓に対応するツボである心臓領域４、胃に対応するツボである胃領域５、膵臓に対応するツボである膵臓領域６、十二指腸に対応するツボである十二指腸領域７、横行結腸に対応するツボである横行結腸領域８、膀胱に対応するツボである膀胱領域９などのツボが存在する。
【００１８】
踵に存在する踵領域３には、生殖器などに対応したツボが存在している。湧泉領域２と、土踏まずと、踵領域３とを同時に押圧して刺激することでよりいっそう血行が促進の改善されることが分かっている。
【００１９】
インソール部１２は、足１の形に添った平板部材であり、左足用のインソールと右足用のインソールとを備えている。図１では、右足用のインソール部１２を示しているが、もちろん、左右対称関係にある左足用のインソール部１２も存在するが、ここでは分かりやすくするため右足用のみを表示している。
【００２０】
インソール部１２は、図１に示されるように２枚の平板が積層された状態で形成される。インソール部１２は、表面側に位置する第１の面ファスナー部を有する第１平板部１２ａと、裏面側に位置し圧縮ウレタンで構成される第２平板部１２ｂとを備えている。第１の面ファスナー部は、ループ状に起毛された面を有する部材である。
【００２１】
なお、ここでは、第２平板部１２ｂは圧縮ウレタンであるとして説明したが、適度な弾力性を有する部材であればよい。第１平板部１２ａの厚みは、５ｍｍであり、第２平板部１２ｂの厚みは、５ｍｍである。
【００２２】
湧泉用突起部２０は、軟質性を有する軟質性湧泉用突起部１４と、硬質性を有する硬質性湧泉用突起部１５とを有している。
【００２３】
軟質性湧泉用突起部１４は、表面側に位置する凸部１４ａと、裏面側に位置する平板部１４ｂとを備えている。凸部１４ａは、平面視の形状が略円形であり、湧泉領域２の全域を押圧できるように直径は３０ｍｍ〜５０ｍｍに設定することが好ましい。凸部１４ａは、ウレタンフォームを用いて構成することが出来る。
【００２４】
凸部１４ａは、側面視の形状がドーム型であり、高さ（厚み）は５ｍｍ〜１０ｍｍに設定することが好ましい。平板部１４ｂは、裏面に第２の面ファフナー部を有しており、厚みは５ｍｍに設定されている。第２の面ファスナー部は、フック状に起毛された面を有する部材であり、ループ状の第１の面ファスナー部に押し当てることで結合することが出来る。
【００２５】
硬質性湧泉用突起部１５は、表面側に位置する凸部１５ａと、裏面側に位置する平板部１５ｂとを備えている。凸部１５ａは、大きさや形状が凸部１４ａと同じであるが、材質はゴムを用いている点で異なる。平板部１５ｂは、平板部１４ｂと大きさ、形状及び材質が同じである。
【００２６】
土踏まず用突起部２２は、軟質性を有する軟質性土踏まず用突起部１６と、硬質性を有する硬質性土踏まず用突起部１７とを有する。
【００２７】
軟質性土踏まず用突起部１６は、表面側に位置する凸部１６ａと、裏面側に位置する平板部１６ｂとを備えている。凸部１６ａは、平面視の形状が略三日月形状であり、土踏まずを押圧できるように長さは７０ｍｍ〜８０ｍｍに設定することが好ましく、最も広い幅である部位は２０ｍｍに設定される。
【００２８】
凸部１６ａは、側面視の形状が略ドーム型であり、土踏まずの凹みを考慮して、高さ（厚み）は１０ｍｍ〜２０ｍｍに設定することが好ましい。凸部１６ａは、ウレタンフォームを用いて構成することが出来る。平板部１６ｂは、裏面に第２の面ファフナー部を有しており、厚みは５ｍｍに設定されている。
【００２９】
硬質性土踏まず用突起部１７は、表面側に位置する凸部１７ａと、裏面側に位置する平板部１７ｂとを備えている。凸部１７ａは、大きさや形状が凸部１６ａと同じであるが、材質はゴムを用いている点で異なる。平板部１７ｂは、平板部１６ｂと大きさ、形状及び材質が同じである。
【００３０】
踵用突起部２４は、軟質性を有する軟質性踵用突起部１８と、硬質性を有する硬質性踵用突起部１９とを有する。
【００３１】
軟質性踵用突起部１８は、表面側に位置する凸部１８ａと、裏面側に位置する平板部１８ｂとを備えている。凸部１８ａは、平面視の形状が略円形であり、踵領域３の全域を押圧できるように、直径は３０ｍｍ〜５０ｍｍに設定することが好ましい。凸部１８ａは、ウレタンフォームを用いて構成することが出来る。
【００３２】
凸部１８ａは、側面視の形状がドーム型であり、高さ（厚み）は５ｍｍ〜１０ｍｍに設定することが好ましい。平板部１８ｂは、裏面に第２の面ファフナー部を有しており、厚みは５ｍｍに設定されている。
【００３３】
硬質性踵用突起部１９は、表面側に位置する凸部１９ａと、裏面側に位置する平板部１９ｂとを備えている。凸部１９ａは、大きさや形状が凸部１８ａと同じであるが、材質はゴムを用いている点で異なる。平板部１９ｂは、平板部１８ｂと大きさ、形状及び材質が同じである。
【００３４】
続いて、上記構成の足裏刺激器具１０の作用について説明する。ユーザーが革靴などの内部に足裏刺激器具１０を装着する。このとき、左足用の足裏刺激器具１０については左足の革靴に装着し、右足用の足裏刺激器具１０については右足の革靴に装着することが好適である。
【００３５】
ユーザーが革靴を履く際に湧泉用突起部２０、土踏まず用突起部２２及び踵用突起部２４によって、それぞれ湧泉領域２と、胃領域５、膵臓領域６を含む土踏まずと、踵領域３との３点を同時に押圧して刺激することが血行促進などの効果を最も高めることが出来る。
【００３６】
また、足裏刺激器具１０によれば、インソール部１２上を湧泉用突起部２０、土踏まず用突起部２２及び踵用突起部２４が自由に移動させて装着することが出来るため、湧泉領域２と、胃領域５、膵臓領域６を含む土踏まずと、踵領域３がうまく押圧できない場合には、湧泉用突起部２０、土踏まず用突起部２２及び踵用突起部２４を取り外して、適宜位置を変更して再度取り付けることができるため、的確な位置に取り付けることが可能である。
【００３７】
さらに、湧泉用突起部２０、土踏まず用突起部２２及び踵用突起部２４は、それぞれ、硬質用と軟質用の２種類が存在するため、硬さや柔らかさについて色んな組み合わせで使用することができる。例えば、最初に軟質用のものを取り付けて、慣れてから硬質用のものにつけかえることも出来る。
【００３８】
なお、上記では、第１の面ファスナー部と第２の面ファスナー部とを結合させるものとして説明したが、もちろん、その他の手段で結合させてもよい。例えば、編み物で起毛した布を用いてもよい。例えば、歯ブラシの先端形状について金属を用いて構成したようなブラシで布（織物、編み物）の表面を数回掻くことで繊維が起き上がり、ループ状にすることができる。
【００３９】
また、第１の面ファスナー部と第２の面ファスナー部の代わりに磁力を用いて着脱させてもよい。
【００４０】
上述した足裏刺激器具１０では、インソール部１２を用いているものとして説明したが、例えば、使い捨てスリッパとして用いられる不織布で構成されたスリッパなどの場合は、湧泉用突起部２０、土踏まず用突起部２２及び踵用突起部２４を直接結合させることもできるため、この場合、インソール部１２は不要である。
【００４１】
本発明に係る足裏刺激器具１０は、人間工学設計及びユニバーサルデザインを採用した商品であり、自由自在に湧泉用突起部２０、土踏まず用突起部２２及び踵用突起部２４を設置することができる。また、フリーサイズなので老若男女（小学高学年までを含む）に使用可能である。また、遠赤外線加工や光触媒加工もなされており、足裏もクリーンにできるという効果がある。また、速乾性、吸汗性、防汚加工もなされていることが好ましい。
【符号の説明】
【００４２】
１  足、２  湧泉領域、３  踵領域、４  心臓領域、５  胃領域、６  膵臓領域、７  十二指腸領域、８  横行結腸領域、９  膀胱領域、１０  足裏刺激器具、１２  インソール部、１２ａ  平板部、１２ｂ  平板部、１４  軟質性湧泉用突起部、１４ａ  凸部、１４ｂ  平板部、１５  硬質性湧泉用突起部、１５ａ  凸部、１５ｂ  平板部、１６      軟質性土踏まず用突起部、１６ａ  凸部、１６ｂ  平板部、１７  硬質性土踏まず用突起部、１７ａ  凸部、１７ｂ  平板部、１８  軟質性踵用突起部、１８ａ  凸部、１８ｂ  平板部、１９  硬質性踵用突起部、１９ａ  凸部、１９ｂ  平板部、２０  湧泉用突起部、２２  土踏まず用突起部、２４  踵用突起部。
【図１】
2019213597.tif 000003
【図２】
2019213597.tif 000004